(57)【要約】【課題】視覚にうったえることで探すことが容易な耳孔に挿入可能な補聴器の提供する。【解決手段】補聴器を遠隔操作するための操作入力部１０３と、制御信号を出力する送信部１０５とを備えた遠隔操作装置１０１を有する補聴器１０２において、前記補聴器１０２が前記遠隔操作装置１０１からの制御信号に基づいて発光する発光部１０７を備える。これにより、補聴器を見失ったとしても、見失った補聴器を容易に探し出すことが可能になる。【選択図】図１
2009206576.tif 000002
【特許請求の範囲】
【請求項１】
入力信号を受け取る入力部と、
電気信号を処理する処理部と、
音声信号を出力する出力部と、
前記補聴器を遠隔操作するための操作入力部と、
制御信号を出力する送信部からなる遠隔操作装置と、
前記遠隔操作装置からの制御信号に基づいて発光する発光部と
を備えることを特徴とする補聴器。
【請求項２】
入力信号を受け取る入力部と、
電気信号を処理する処理部と、
音声信号を出力する出力部と、
電力供給部と、電源スイッチと
制御信号に基づいて発光する発光部とを有し、
前記発光部は前記電源スイッチをオフにすると発光が開始することを特徴とする補聴器。
【請求項３】
前記発光部は点灯あるいは点滅することを特徴とする請求項１または２に記載の補聴器。
【請求項４】
前記発光部の発光は前記電源スイッチをオフにした所定時間後に開始されることを特徴とする請求項３に記載の補聴器。
【発明の詳細な説明】
【技術分野】
【０００１】
本発明は紛失したときに見つけやすくすることを目的とした補聴器に関するものである。
【背景技術】
【０００２】
近年では、軽度の難聴者にも補聴器の使用が広がりつつある。このような軽度の難聴者は、補聴器を終日使用する必要性は低いが、耳孔に挿入可能な補聴器が広く支持されている。
【０００３】
軽度の難聴者は、上記のように終日使用する必要性が低いので、耳孔に挿入可能な補聴器を使用した場合、着脱する頻度が高くなる。
【０００４】
また、耳孔に挿入可能な補聴器は大きさが小さいため、補聴器を見失う可能性が高まる。
【０００５】
身体から外された状態が一定時間継続しているか否かを判断することで通知音を生成する方法が開示されており、音によって補聴器の置き場所を知らせるものがある(例えば、特許文献１参照)。
【０００６】
さらに、音だけでなく、補聴器の置き場所を視覚により知らせることも有効である。
【０００７】
例えば、補聴器のシェル部材等に蓄光顔料を使用する方法が開示されており、これによると暗闇の中で補聴器の置き場所を容易に確認することができる（例えば、特許文献２参照）、見失う可能性は低くなる。
【特許文献１】特開２００１−１４５１９８号公報
【特許文献２】特開２０００−３５０２９８号公報
【発明の開示】
【発明が解決しようとする課題】
【０００８】
しかしながら、前記従来の構成では、耳孔に挿入可能な補聴器は大きさが小さくかつ高齢者にとっては一旦、見失うと見失った補聴器を探すことが比較的面倒であるという課題があった。
【０００９】
本発明は、上記技術的課題を解決するためになされたもので、目で見て探すことが容易な耳孔に挿入可能な補聴器を提供することを目的とする。
【課題を解決するための手段】
【００１０】
前記従来の課題を解決するために本発明の補聴器は、入力信号を受け取る入力部と、電気信号を処理する処理部と、音声信号を出力する出力部と、前記補聴器を遠隔操作するための操作入力部と、制御信号を出力する送信部からなる遠隔操作装置と、前記遠隔操作装置からの制御信号に基づいて発光する発光部とを備える。
【００１１】
さらに、本発明の補聴器は入力信号を受け取る入力部と、電気信号を処理する処理部と、
音声信号を出力する出力部と、電力供給部と、電源スイッチと、制御信号に基づいて発光する発光部とを有し、前記発光部は前記電源スイッチをオフにすると発光が開始する。
【００１２】
本構成により、入力信号を受け取る入力部と、電気信号を処理する処理部と、音声信号を出力する出力部からなる補聴器と、前記補聴器を遠隔操作するための操作入力部と、制御信号を出力する送信部からなる遠隔操作装置からなり、前記補聴器が前記遠隔操作装置からの制御信号に基づいて発光する発光部を有する。
【００１３】
さらに、前記電源スイッチをオフにすると発光が開始される。
【００１４】
本構成によって、補聴器を見失ったとしても、発光部が発光することで、見失った補聴器を探し出すことが容易になる。
【発明の効果】
【００１５】
本発明の補聴器によれば、補聴器を見失ったとしても、視覚的に容易に認識が可能となり、見失った補聴器を容易に探し出すことができる。
【発明を実施するための最良の形態】
【００１６】
以下本発明を実施するための最良の形態について、図面を参照しながら説明する。
【００１７】
（実施の形態１）
図１は、本発明の実施の形態１における補聴器の全体図である。図１は遠隔操作装置１０１と補聴器本体１０２により構成される。遠隔操作装置１０１は、操作入力部１０３と制御部１０４と送信部１０５から構成される。一方、補聴器本体１０２は、受信部１０６と発光部１０７と入力部１０８と処理部１０９と出力部１１０とから構成される。
【００１８】
遠隔操作装置１０１は、ユーザが操作することで補聴器を制御できるものであり、補聴器の音量設定やモード切り替えを含んでいても良い。操作入力部１０３は、ユーザの手操作を受け付けるものである。制御部１０４は、遠隔操作装置全体の制御を司るものである。送信部１０５は、補聴器本体への制御信号を送信するものである。入力部１０８は、周囲から取り込んだ音声信号を電気信号に変換するものである。受信部１０６は、遠隔制御装置１０１からの制御信号を受信するものである。処理部１０９は、電気信号に補聴処理を施すものである。出力部１１０は、電気信号を音声信号に変換し、補聴器装用者が聴取可能な音とするものである。発光部１０７は、一つ以上の発光体からなり、いかなる発光体で構成しても良い。
【００１９】
装用者が補聴器を紛失した場合、遠隔操作装置の操作入力部１０３を操作することで、信号が制御部１０４に送られ、制御部１０４からの信号により送信部１０５から補聴器本体へ信号を送る。補聴器本体では、送信部１０５からの信号を受信部１０６で受け、その信号を発光部１０７へ送り、発光部１０７により発光する。発光は、点灯あるいは点滅のどちらでも良い。かかる構成によれば、遠隔操作で補聴器を発光させることにより、補聴器の所在が目で見て分かるようになり、補聴器を見失ったときに補聴器を容易に探し出すことができる。
【００２０】
（実施の形態２）
図２は、本発明の実施の形態２における補聴器の全体図である。図１と同じ構成要素については同じ符号を用い、説明を省略する。
【００２１】
図２において、補聴器は補聴器の電源となる電力供給部２０１を備え、電源スイッチ２０２でオン／オフを切り替えることができる。電源スイッチ２０２がオフになると、発光部１０７に接続され、発光が始まる。発光は、点灯あるいは点滅のどちらでも良い。また、発光が始まるのは、電源スイッチ２０２をオフにし、所定時間経過した後でも良い。かかる構成によれば、電源スイッチ２０２をオフにすると発光部１０７が発光し始めることにより、補聴器の所在が目で見て分かるようになり、補聴器を見失ったときに補聴器を容易に探し出すことができる。
【００２２】
なお、本実施の形態において、電源スイッチ２０２がオンになると発光部１０７が発光し、オフになると発光しないことから、電源スイッチの状態を目で見て確認する機能として利用することも可能になる。
【００２３】
さらに、本実施の形態において、発光部１０７を一つあるいは複数の発光体で構成することで、電池残量を表示する機能として利用することも可能になる。
【産業上の利用可能性】
【００２４】
本発明にかかる補聴器は、補聴器を見失ったとしても、見失った補聴器を容易に探し出すことが可能になるので、補聴器、音響装置などとして有用である。
【図面の簡単な説明】
【００２５】
【図１】本発明の実施の形態１における補聴器の構成図
【図２】本発明の実施の形態２における電源スイッチがオフの場合と電源スイッチがオンの場合の補聴器の構成図
【符号の説明】
【００２６】
１０１    遠隔操作装置
１０２    補聴器本体
１０３    操作入力部
１０４    制御部
１０５    送信部
１０６    受信部
１０７    発光部
１０８    入力部
１０９    処理部
１１０    出力部
２０１    電力供給部
２０２    電源スイッチ
【図１】
2009206576.tif 000003
【図２】
2009206576.tif 000004